(57)【要約】【課題】現金を持っていなくても、カードを用いて参拝すること。【解決手段】参拝支援装置１０１は、寄付に対する返礼品を排出する排出口と、寄付の金額およびカード情報を含む寄付情報が登録されたカードまたは情報端末装置から、寄付情報を受け付ける寄付情報受付部３０１と、寄付情報に基づくカード決済指示を、カード会社情報処理装置へ送信するカード決済指示送信部３０４と、カード決済指示に基づく決済完了通知を、カード会社情報処理装置から受信する決済完了通知受信部３０５と、決済完了通知を受信した場合に、排出口から返礼品を排出する返礼品排出制御部３０６と、を備える。カードを用いて、容易に参拝先への寄付をおこなうことができ、寄付に対する返礼品を受け取ることがで、返礼品を賽銭とすることもできる。【選択図】図３
2018161278.tif 000002
【特許請求の範囲】
【請求項１】
寄付に対する返礼品を排出する排出口と、
前記寄付の金額およびカード情報を含む寄付情報が登録されたカードまたは情報端末装置から、前記寄付情報を受け付ける受付部と、
前記寄付情報に基づくカード決済指示を、ネットワークを介して、カード会社の情報処理装置へ送信する送信部と、
前記決済指示に基づく決済完了通知を、前記ネットワークを介して、前記カード会社の情報処理装置から受信する受信部と、
前記カード決済完了通知を受信した場合に、前記排出口から前記返礼品を排出する排出制御部と、
を備えたことを特徴とする参拝支援装置。
【請求項２】
前記受付部は、前記カードまたは情報端末装置が所定の箇所にかざされることによって、前記寄付情報を受け付けることを特徴とする請求項１に記載の参拝支援装置。
【請求項３】
前記返礼品は、賽銭箱への投入物であることを特徴とする請求項１または２に記載の参拝支援装置。
【請求項４】
前記返礼品は、複数の種類からなることを特徴とする請求項３に記載の参拝支援装置。
【請求項５】
前記寄付情報は、前記寄付の趣旨に関する情報および寄付先に関する情報の少なくともいずれかを含むことを特徴とする請求項１〜４のいずれか一つに記載の参拝支援装置。
【請求項６】
コンピュータが、
寄付の金額およびカード情報を含む寄付情報が登録されたカードまたは情報端末装置から、前記寄付情報を受け付け、
前記寄付情報に基づくカード決済指示を、ネットワークを介して、カード会社の情報処理装置へ送信し、
前記カード決済指示に基づく決済完了通知を、前記ネットワークを介して、前記カード会社の情報処理装置から受信し、
前記決済完了通知を受信した場合に、前記寄付に対する返礼品を所定の排出口から排出する、
処理を実行することを特徴とする参拝支援方法。
【請求項７】
コンピュータが、
寄付の金額に関する情報の入力を受け付け、
入力された寄付の金額と、入力されたまたはあらかじめ登録されているカード情報とが関連付けされた寄付情報を登録し、
前記寄付情報を登録した後に、寄付先の参拝支援装置に対して、前記寄付情報を出力する、
処理を実行することを特徴とする参拝支援方法。
【請求項８】
コンピュータに、
寄付の金額およびカード情報を含む寄付情報が登録されたカードまたは情報端末装置から、前記寄付情報を受け付け、
前記寄付情報に基づくカード決済指示を、ネットワークを介して、カード会社の情報処理装置へ送信し、
前記カード決済指示に基づく決済完了通知を、前記ネットワークを介して、前記カード会社の情報処理装置から受信し、
前記決済完了通知を受信した場合に、前記寄付に対する返礼品を所定の排出口から排出する、
処理を実行させることを特徴とする参拝支援プログラム。
【請求項９】
コンピュータに、
寄付の金額に関する情報の入力を受け付け、
入力された寄付の金額と、入力されたまたはあらかじめ登録されているカード情報とが関連付けされた寄付情報を登録し、
前記寄付情報を登録した後に、寄付先の参拝支援装置に対して、前記寄付情報を出力する、
処理を実行させることを特徴とする参拝支援プログラム。
【請求項１０】
前記寄付情報を登録する処理は、前記寄付情報に基づいて、オーソリ予約をおこなうことを特徴とする請求項９に記載の参拝支援プログラム。
【請求項１１】
前記入力を受け付ける処理は、あらかじめ設定された寄付の金額を示し、示された金額から選択させることによって、寄付の金額に関する情報の入力を受け付けることを特徴とする請求項９または１０に記載の参拝支援プログラム。
【請求項１２】
コンピュータに、
前記寄付先からの宣伝広告情報を受信し、
前記宣伝広告情報を表示する、
処理を実行させることを特徴とする請求項１０または１１に記載の参拝支援プログラム。
【発明の詳細な説明】
【技術分野】
【０００１】
この発明は、参拝におけるカード決済による寄付を支援する参拝支援装置、参拝支援方法および参拝支援プログラムに関する。
【背景技術】
【０００２】
従来、神社などへの参拝においては、寄付すなわち賽銭を投入して、祈願をするのが一般的である。そして、賽銭は原則として少額の現金（硬貨など）に限られている。
【０００３】
そして、賽銭を賽銭箱に投入することによって、参拝が実行されるのであり、賽銭投入なしの参拝では、実効性を担保できない、すなわち祈願が成就されないという参拝者の心理が存在する。
【０００４】
また、賽銭金額情報を入力するタッチパネルと、非接触ＩＣカードから出力される利用可能金額情報を受信し、更新金額情報を送信する非接触通信アンテナと、利用可能金額情報が賽銭金額情報以上のときに、賽銭コイン発行制御信号および更新金額情報を出力する処理制御部と、賽銭コイン発行制御信号に基づいて賽銭コインを発行する賽銭コイン発行部と、を含む賽銭コイン発売機と、賽銭コインを投入する賽銭箱と、を備え、賽銭の盗難を防止できるとともに、参拝時の臨場感も与えられる賽銭システムに関する技術がある（たとえば、下記特許文献１を参照。）。
【先行技術文献】
【特許文献】
【０００５】
【特許文献１】特開２０００−６０７２０号公報
【発明の概要】
【発明が解決しようとする課題】
【０００６】
しかしながら、従来にあっては、少額の現金を持ち合わせていない場合には、賽銭の投入をしないことによる参拝の満足感を得られなかったり、また、神社付近まで来ても、参拝自体をおこなわなかったりすることがあり、神社等の収入の増加を見込めないという問題点があった。
【０００７】
また、近年、外国人観光客の急増などによって、外国人観光客の神社などへの参拝も多くなり、日本の硬貨を持ち合わせていないことにより、賽銭の投入ができないことも多いという問題点があった。また、そのためだけに、神社の近隣に両替商を設けることも有効な解決策とはいえない。
【０００８】
また、賽銭箱には現金が投入されるため、いわゆる賽銭泥棒なる者の出現により、神社等の経済的被害が増加しているという問題点があった。
【０００９】
また、上記技術によれば、賽銭金額をその場で入力しなければならず、入力の手間が煩雑だったり、入力の金額を間違ってしまって、予期せぬ金銭トラブル（意図した金額よりも多くの寄付金額を入力してしまったなど）となったり、他人にその入力金額を見られてしまうなどの問題点があった。
【００１０】
この発明は、上述した従来技術による問題点を解消するため、現金を用いることなく、カード決済によっても、賽銭の投入をおこなうことができる参拝支援装置、参拝支援方法および参拝支援プログラムを提供することを目的とする。
【課題を解決するための手段】
【００１１】
上述した課題を解決し、目的を達成するため、この発明にかかる参拝支援装置は、寄付に対する返礼品を排出する排出口と、前記寄付の金額およびカード情報を含む寄付情報が登録されたカードまたは情報端末装置から、前記寄付情報を受け付ける受付部と、前記寄付情報に基づくカード決済指示を、ネットワークを介して、カード会社の情報処理装置へ送信する送信部と、前記カード決済指示に基づく決済完了通知を、前記ネットワークを介して、前記カード会社の情報処理装置から受信する受信部と、前記決済完了通知を受信した場合に、前記排出口から前記返礼品を排出する排出制御部と、を備えたことを特徴とする。
【００１２】
また、この発明にかかる参拝支援装置は、上記発明において、前記受付部が、前記カードまたは情報端末装置が所定の箇所にかざされることによって、前記寄付情報を受け付けることを特徴とする。
【００１３】
また、この発明にかかる参拝支援装置は、上記発明において、前記返礼品が、賽銭箱への投入物であることを特徴とする。
【００１４】
また、この発明にかかる参拝支援装置は、上記発明において、前記返礼品が、複数の種類からなることを特徴とする。
【００１５】
また、この発明にかかる参拝支援装置は、上記発明において、前記寄付情報が、前記寄付の趣旨に関する情報および寄付先に関する情報の少なくともいずれかを含むことを特徴とする。
【００１６】
また、この発明にかかる参拝支援方法は、コンピュータが、寄付の金額およびカード情報を含む寄付情報が登録されたカードまたは情報端末装置から、前記寄付情報を受け付け、前記寄付情報に基づくカード決済指示を、ネットワークを介して、カード会社の情報処理装置へ送信し、前記カード決済指示に基づく決済完了通知を、前記ネットワークを介して、前記カード会社の情報処理装置から受信し、前記決済完了通知を受信した場合に、前記寄付に対する返礼品を所定の排出口から排出する、処理を実行することを特徴とする。
【００１７】
また、この発明にかかる参拝支援方法は、コンピュータが、寄付の金額に関する情報の入力を受け付け、入力された寄付の金額と、入力されたまたはあらかじめ登録されているカード情報とが関連付けされた寄付情報を登録し、前記寄付情報を登録した後に、寄付先の参拝支援装置に対して、前記寄付情報を出力する、処理を実行することを特徴とする。
【００１８】
また、この発明にかかる参拝支援プログラムは、コンピュータに、寄付の金額およびカード情報を含む寄付情報が登録されたカードまたは情報端末装置から、前記寄付情報を受け付け、前記寄付情報に基づくカード決済指示を、ネットワークを介して、カード会社の情報処理装置へ送信し、前記カード決済指示に基づく決済完了通知を、前記ネットワークを介して、前記カード会社の情報処理装置から受信し、前記決済完了通知を受信した場合に、前記寄付に対する返礼品を所定の排出口から排出する、処理を実行させることを特徴とする。
【００１９】
また、この発明にかかる参拝支援プログラムは、コンピュータに、寄付の金額に関する情報の入力を受け付け、入力された寄付の金額と、入力されたまたはあらかじめ登録されているカード情報とが関連付けされた寄付情報を登録し、前記寄付情報を登録した後に、寄付先の参拝支援装置に対して、前記寄付情報を出力する、処理を実行させることを特徴とする。
【００２０】
また、この発明にかかる参拝支援プログラムは、上記発明において、前記寄付情報を登録する処理が、前記寄付情報に基づいて、オーソリ予約をおこなうことを特徴とする。
【００２１】
また、この発明にかかる参拝支援プログラムは、上記発明において、前記入力を受け付ける処理が、あらかじめ設定された寄付の金額を示し、示された金額から選択させることによって、寄付の金額に関する情報の入力を受け付けることを特徴とする。
【００２２】
また、この発明にかかる参拝支援プログラムは、上記発明において、コンピュータに、前記寄付先からの宣伝広告情報を受信し、前記宣伝広告情報を表示する、処理を実行させることを特徴とする。
【発明の効果】
【００２３】
この発明にかかる参拝支援装置、参拝支援方法および参拝支援プログラムによれば、現金を用いることなく、カード決済によっても、賽銭の投入をおこなうことができるという効果を奏する。
【図面の簡単な説明】
【００２４】
【図１】この発明にかかる実施の形態の参拝支援装置を含むネットワーク・システムのシステム構成の一例を示す説明図である。
【図２Ａ】この発明にかかる実施の形態の参拝支援装置を実現するコンピュータ装置のハードウエア構成の一例を示すブロック図である。
【図２Ｂ】この発明にかかる実施の形態の情報端末装置を実現するコンピュータ装置のハードウエア構成の一例を示すブロック図である。
【図２Ｃ】この発明にかかる実施の形態のサーバおよびカード会社情報処理装置を実現するコンピュータ装置のハードウエア構成の一例を示すブロック図である。
【図３】この発明にかかる実施の形態の参拝支援装置の機能的構成の一例を示すブロック図である。
【図４】この発明にかかる実施の形態の情報端末装置の機能的構成の一例を示すブロック図である。
【図５Ａ】この発明にかかる実施の形態における寄付情報が登録されたデータベースの一例を示す説明図である。
【図５Ｂ】この発明にかかる実施の形態における参拝履歴情報が登録されたデータベースの一例を示す説明図である。
【図６】この発明にかかる実施の形態の参拝支援装置の処理手順の一例を示すフローチャートである。
【図７】この発明にかかる実施の形態の情報端末装置の処理手順の一例を示すフローチャートである。
【図８Ａ】この発明にかかる実施の形態の参拝支援装置の外観の一例を示す説明図である。
【図８Ｂ】参拝支援装置の表示画面の表示例を示す説明図である。
【図９Ａ】返礼品の外観の一例（その１）を示す説明図である。
【図９Ｂ】返礼品の外観の一例（その２）を示す説明図である。
【図９Ｃ】返礼品の外観の一例（その３）を示す説明図である。
【図１０】この発明にかかる実施の形態の情報端末装置の表示画面の一例を示す説明図である。
【発明を実施するための形態】
【００２５】
以下に添付図面を参照して、この発明にかかる参拝支援装置、参拝支援方法および参拝支援プログラムの好適な実施の形態を詳細に説明する。
【００２６】
（ネットワーク・システムのシステム構成）
まず、実施の形態の参拝支援装置を含むネットワーク・システムのシステム構成について説明する。図１は、この発明にかかる実施の形態の参拝支援装置を含むネットワーク・システムのシステム構成の一例を示す説明図である。
【００２７】
図１において、ネットワーク・システムは、参拝支援装置１０１と、情報端末装置１０２と、サーバ１０３と、カード会社情報処理装置１０４と、によって構成されている。参拝支援装置１０１、情報端末装置１０２、サーバ１０３、カード会社情報処理装置１０４は、それぞれ、インターネットなどのネットワーク１００を介して相互に通信可能に接続されている。
【００２８】
参拝支援装置１０１は、神社などの参拝地点に設置された端末装置であって、パーソナルコンピュータ、ワークステーション、サーバコンピュータなどの情報処理装置（コンピュータ装置）などによって構成される。
【００２９】
情報端末装置は、スマートフォン、タブレット端末装置、ノートＰＣなどの情報処理装置（コンピュータ装置）などによって構成される。
【００３０】
サーバ１０３は、複数設置された参拝支援装置１０１を制御する。神社ごとに、神社に設置された複数の参拝支援装置１０１を制御してもよく、また、複数の神社のそれぞれの参拝支援装置１０１を包括的に制御するようにしてもよい。また、サーバ１０３を設けないで、参拝支援装置１０１のみで運用し、参拝支援装置１０１がサーバ１０３の機能を実現するようにしてもよい。サーバ１０３は、パーソナルコンピュータ、ワークステーション、サーバコンピュータなどの情報処理装置（コンピュータ装置）などによって構成される。
【００３１】
カード会社情報処理装置１０４は、たとえば、クレジットカードを用いた決済（カード決済）を実現するカード決済システムに用いるクレジットカードを発行するカード発行会社などによって管理されるコンピュータ装置などによって実現することができる。具体的には、カード会社情報処理装置１０４は、パーソナルコンピュータ、ワークステーション、サーバコンピュータなどの情報処理装置（コンピュータ装置）などによって構成される。
【００３２】
なお、カード会社情報処理装置１０４が、サーバ１０３の機能を実現するようにしてもよい。その場合には、サーバ１０３における処理は、カード会社情報処理装置１０４がおこなう。
【００３３】
（参拝支援装置１０１のハードウエア構成の一例）
つぎに、参拝支援装置１０１のハードウエア構成の一例について説明する。図２Ａは、この発明にかかる実施の形態の参拝支援装置を実現するコンピュータ装置のハードウエア構成の一例を示すブロック図である。
【００３４】
図２Ａにおいて、参拝支援装置１０１は、ＣＰＵ（Ｃｅｎｔｒａｌ  Ｐｒｏｃｅｓｓｉｎｇ  Ｕｎｉｔ）２０１と、メモリ２０２と、通信Ｉ／Ｆ（Ｉｎｔｅｒｆａｃｅ）２０３と、出力デバイス２０４と、入力デバイス２０５と、返礼品排出機構２０６と、を備えている。また、参拝支援装置１０１が備えるＣＰＵ２０１と、メモリ２０２と、通信Ｉ／Ｆ２０３と、出力デバイス２０４と、入力デバイス２０５と、返礼品排出機構２０６は、バス２００によってそれぞれ接続されている。
【００３５】
ＣＰＵ２０１は、参拝支援装置１０１の全体の制御をつかさどる。ＣＰＵ２０１は、メモリ２０２が記憶する各種のプログラムやデータを用いて、参拝支援装置１０１の全体の制御をつかさどる。
【００３６】
メモリ２０２は、ブートプログラムなどのプログラムや各種のデータベースを構成するデータなどを記憶している。また、メモリ２０２は、この発明にかかる実施の形態の参拝支援プログラムや各種データベースなど、参拝支援処理にかかる各種のプログラムやデータを記憶していてもよい。
【００３７】
メモリ２０２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などの各種メモリ装置（回路）によって実現することができる。
【００３８】
通信Ｉ／Ｆ２０３は、参拝支援装置１０１の内部と、参拝支援装置１０１の外部とのインターフェイスをつかさどる。また、通信Ｉ／Ｆ２０３は、電話回線網に接続され、音声通信に際して用いられてもよい。
【００３９】
出力デバイス２０４は、たとえば、主に液晶ディスプレイや有機ＥＬ（Ｅｌｅｃｔｒｏ−Ｌｕｍｉｎｅｓｃｅｎｃｅ）ディスプレイなどによって実現することができる。具体的には、たとえば、液晶パネルによって実現されるディスプレイは、透明電極が組み込まれた一対のガラス基板によって液晶材料（液晶分子）を挟み、このガラス基板に偏光フィルタを設けることによって構成されている。
【００４０】
液晶パネルは、電極に電圧を加えて液晶分子の向きを変化させることによって、ガラス基板を透過する光の状態を制御する。また、液晶パネルは、光源として、バックライトを備えている。これにより自らは発光しない液晶分子が表示する画像を照明することができる。
【００４１】
また、出力デバイス２０４は、レシートなどの記録紙に文字などを印刷するプリンタなどであってもよい。
【００４２】
入力デバイス２０５は、非接触のカード読取装置、カードのＩＣの読取装置、カードの磁気データの読取装置など、各種読み取り装置を備えている。また、入力デバイス２０５は、図示を省略する、生体情報（たとえば、指紋、血管、網膜、虹彩など）を読み取るスキャナやセンサなどの装置であってもよい。
【００４３】
また、入力デバイス２０５は、文字、数値、各種指示などの入力のためのキーを備え、データ入力をおこなうようにしてもよい。入力デバイス２２４は、たとえば、タッチパネルやキーボードなどによって実現するようにしてもよい。
【００４４】
また、入力デバイス２０５は、図示を省略するカメラであってもよい。カメラは、ＣＰＵ２０１によって制御されて撮像対象を撮像し、画像データを生成したり、バーコードや、たとえばＯＣＲ機能などを用いて撮影された文字をデータ化して入力することができる。具体的に、カメラは、利用者が参拝支援装置１０１に対して所定の入力操作をした場合に、参拝支援装置１０１の前にいる利用者を撮像する。カメラによって生成された画像データは、ＣＰＵ２０１に出力され、通信Ｉ／Ｆ２０３を介して、指定された、情報端末装置１０２、サーバ１０３、カード会社情報処理装置１０４などへ送信されるようにしてもよい。
【００４５】
また、入力デバイス２０５は、図示を省略する、音声などを入力するマイクであってもよい。マイクは、アナログデータとして入力された話者の声をアナログ／デジタル変換し、デジタル形式の音声データを生成する。マイクを用いることにより、利用者は、参拝支援装置１０１を介して、タッチパネルやキーボードを用いる代わりに、文字などの入力をおこなうことができる。
【００４６】
（情報端末装置１０２のハードウエア構成の一例）
つぎに、情報端末装置１０２のハードウエア構成の一例について説明する。図２Ｂは、この発明にかかる実施の形態の情報端末装置を実現するコンピュータ装置のハードウエア構成の一例を示すブロック図である。
【００４７】
図２Ｂにおいて、情報端末装置１０２は、ＣＰＵ（Ｃｅｎｔｒａｌ  Ｐｒｏｃｅｓｓｉｎｇ  Ｕｎｉｔ）２１１と、メモリ２１２と、出力デバイス２１３と、入力デバイス２１４と、通信Ｉ／Ｆ（Ｉｎｔｅｒｆａｃｅ）２１５と、を備えている。また、情報端末装置１０２が備えるＣＰＵ２１１と、メモリ２１２と、出力デバイス２１３と、入力デバイス２１４と、通信Ｉ／Ｆ２１５は、バス２１０によってそれぞれ接続されている。
【００４８】
ＣＰＵ２１１は、情報端末装置１０２の全体の制御をつかさどる。ＣＰＵ２１１は、メモリ２１２が記憶する各種のプログラムやデータを用いて、情報端末装置１０２の全体の制御をつかさどる。
【００４９】
メモリ２１２は、ブートプログラムなどのプログラムや各種のデータベースを構成するデータなどを記憶している。また、メモリ２１２は、この発明にかかる実施の形態の参拝支援プログラムなど、参拝支援処理にかかる各種のプログラムやデータを記憶していてもよい。メモリ２１２は、ハードディスクやフラッシュメモリなどによって実現することができる。
【００５０】
出力デバイス２１３は、たとえば、主に液晶ディスプレイや有機ＥＬディスプレイなどによって実現することができる。出力デバイス２１３は、図２Ａに示した出力デバイス２０４と同様の構成であるので、その詳細についての説明は省略する。
【００５１】
また、出力デバイス２１３は、レシートなどの記録紙に文字などを印刷するプリンタなどであってもよい。
【００５２】
入力デバイス２１４は、文字、数値、各種指示などの入力のためのキーを備え、データ入力をおこなう。入力デバイス２１４は、たとえば、タッチパネルやキーボードなどによって実現することができる。タッチパネルやキーボードなどによって実現される入力デバイス２１４は、当該入力デバイス２１４に対する入力操作に応じた信号をＣＰＵ２１１に対して出力する。
【００５３】
入力デバイス２１４をタッチパネルによって実現する場合、当該タッチパネルは、ディスプレイの表示面側に積層される。タッチパネルは、指やペンなどの筆記部材が接触したことを検出した場合に、タッチパネルに対する筆記部材の接触位置に応じた電気信号を出力する。タッチパネルは、たとえば抵抗膜方式や静電容量方式、音響パルス認識方式、超音波表面弾性波方式、赤外遮光方式、画像認識方式など公知の各種の方式のものを用いることができる。
【００５４】
また、入力デバイス２１４は、図示を省略するカメラであってもよい。カメラは、ＣＰＵ２１１によって制御されて撮像対象を撮像し、画像データを生成したり、バーコードや、たとえばＯＣＲ機能などを用いて撮影された文字をデータ化して入力することができる。具体的に、カメラは、利用者が情報端末装置１０２に対して所定の入力操作をした場合に、情報端末装置１０２の前の利用者または周辺の状況を撮像する。カメラによって生成された画像データは、ＣＰＵ２１１に出力され、通信Ｉ／Ｆ２１５を介して、指定された、参拝支援装置１０１、サーバ１０３、カード会社情報処理装置１０４などへ送信されるようにしてもよい。
【００５５】
また、入力デバイス２１４は、図示を省略する、生体情報（たとえば、指紋、血管、網膜、虹彩など）を読み取るスキャナやセンサなどの装置であってもよい。
【００５６】
また、入力デバイス２１４は、図示を省略する、音声などを入力するマイクであってもよい。マイクは、アナログデータとして入力された話者の声をアナログ／デジタル変換し、デジタル形式の音声データを生成する。マイクを用いることにより、利用者は、情報端末装置１０２を介して、タッチパネルやキーボードを用いる代わりに、文字などの入力をおこなうことができる。
【００５７】
通信Ｉ／Ｆ２１５は、情報端末装置１０２の内部と、情報端末装置１０２の外部とのインターフェイスをつかさどる。また、通信Ｉ／Ｆ２１５は、電話回線網に接続され、音声通信に際して用いられてもよい。
【００５８】
（サーバ１０３およびカード会社情報処理装置１０４のハードウエア構成の一例）
つぎに、サーバ１０３およびカード会社情報処理装置１０４のハードウエア構成の一例について説明する。図２Ｃは、この発明にかかる実施の形態のサーバおよびカード会社情報処理装置を実現するコンピュータ装置のハードウエア構成の一例を示すブロック図である。
【００５９】
図２Ｃにおいて、サーバ１０３およびカード会社情報処理装置１０４を実現するコンピュータ装置は、ＣＰＵ（Ｃｅｎｔｒａｌ  Ｐｒｏｃｅｓｓｉｎｇ  Ｕｎｉｔ）２２１と、メモリ２２２と、通信Ｉ／Ｆ（Ｉｎｔｅｒｆａｃｅ）２２３と、を備えている。コンピュータ装置が備えるＣＰＵ２２１と、メモリ２２２と、通信Ｉ／Ｆ２２３は、バス２２０によってそれぞれ接続されている。
【００６０】
ここで、ＣＰＵ２２１は、コンピュータ装置の全体の制御をつかさどる。メモリ２２２は、ＣＰＵ２２１のワークエリアとして使用される。また、メモリ２２２は、ブートプログラムなどのプログラムや各種のデータベースを構成するデータなどを記憶している。また、メモリ２２２は、この発明にかかる実施の形態の参拝支援プログラム、カード決済処理プログラムや各種データベースなどの各種のプログラムやデータを記憶していてもよい。
【００６１】
メモリ２２２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などの各種メモリ装置（回路）によって実現することができる。
【００６２】
通信Ｉ／Ｆ２２３は、ネットワーク１００に接続され、コンピュータ装置の内部と、互いのサーバや参拝支援装置１０１、情報端末装置１０２などの外部装置とのインターフェイスをつかさどる。具体的には、通信Ｉ／Ｆ２２３は、コンピュータ装置の内部と外部装置との間におけるデータの入出力を制御する。
【００６３】
（参拝支援装置１０１の機能的構成）
つぎに、参拝支援装置１０１の機能的構成について説明する。図３は、この発明にかかる実施の形態の参拝支援装置１０１の機能的構成を示すブロック図である。
【００６４】
図３において、参拝支援装置１０１の機能は、決済受付処理部３００と、寄付情報受付部３０１と、寄付情報記憶部３０２と、通信部３０３と、カード決済指示送信部３０４と、決済完了通知受信部３０５と、返礼品排出制御部３０６と、履歴情報記憶部３０７と、によって実現することができる。
【００６５】
寄付情報受付部３０１は、寄付の金額およびカード情報を含む寄付情報が登録されたカードまたは情報端末装置１０２から、寄付情報を受け付け、受け付けられた寄付情報を決済受付処理部３００へ送る。寄付情報には、少なくともカード決済に必要な情報である寄付の金額およびカード情報が含まれる。寄付情報の具体的な内容については、図５Ａに示す。寄付情報の詳細な説明については、後述する。
【００６６】
寄付情報受付部３０１は、カードまたは情報端末装置１０２が所定の箇所（所定の箇所の詳細については、後述する）にかざされることによって、寄付情報を受け付けるようにしてもよい。情報端末装置１０２がかざされた場合は、具体的には、寄付情報受付部３０１は、情報端末装置１０２と近距離無線通信をおこない、情報端末装置１０２に記憶されている寄付情報を受信することによって受け付ける。
【００６７】
また、カードがかざされた場合は、寄付情報受付部３０１は、当該カードのＩＣチップからカード情報のみを取得し、寄付の金額に関する情報は、通信部３０３が情報端末装置１０２またはサーバ１０３から受信することにより、取得するようにしてもよい。当該カードのＩＣチップに寄付の金額に関する情報を記憶できる場合は、ＩＣチップからカード情報および寄付の金額に関する情報を取得してもよい。
【００６８】
また、カードがかざされる代わりに、図示を省略する、所定のカードリーダによって、カードの磁気ストライプからカード情報を取得し、寄付の金額に関する情報は、通信部３０３が情報端末装置１０２またはサーバ１０３から受信することにより、取得するようにしてもよい。
【００６９】
この実施の形態においては、図２Ａに示した、参拝支援装置１０１を実現するコンピュータ装置が備える入力デバイス２０５などによって、この発明にかかる寄付情報受付部３０１の機能を実現することができる。
【００７０】
寄付情報記憶部３０２は、寄付情報を記憶する。通信部３０３は、寄付情報記憶部３０２に記憶された寄付情報の全部または一部を、情報端末装置１０２またはサーバ１０３へ送信する。また、通信部３０３は、寄付情報の全部または一部を、情報端末装置１０２またはサーバ１０３から受信する。
【００７１】
この実施の形態においては、図２Ａに示した、参拝支援装置１０１を実現するコンピュータ装置が備えるメモリ２０２などによって、この発明にかかる寄付情報記憶部３０２の機能を実現することができる。
【００７２】
通信部３０３は、情報端末装置１０２に寄付情報以外に賽銭交換所である参拝支援装置１０１の設置場所に関する情報（神社仏閣の名称、設置場所、返礼品のご利益など）、当日の天候などを送信してもよい。参拝支援装置１０１が撮像部を有し、撮像した利用者の写真（顔写真を神社仏閣を背景にした用意された画像と合成するなどしてもよい）を送信してもよい。このような情報を利用者の情報端末装置１０２などに送信することによって、利用者にとっての参拝記念とすることができる。
【００７３】
この実施の形態においては、図２Ａに示した、参拝支援装置１０１を実現するコンピュータ装置が備える通信Ｉ／Ｆ２０３などによって、この発明にかかる通信部３０３の機能を実現することができる。
【００７４】
カード決済指示送信部３０４は、寄付情報に基づくカード決済指示を、ネットワーク１００を介して、カード会社情報処理装置１０４へ送信する。カード会社情報処理装置１０４へのカード決済指示は、直接送信してもよく、また、サーバ１０３を介して送信するようにしてもよい。カード会社情報処理装置１０４は、受信したカード決済指示に基づいて、決済処理を実行し、処理が完了した後、決済完了通知を、参拝支援装置１０１へ送信する。カード会社情報処理装置１０４からの決済完了通知は、直接、参拝支援装置１０１へ送信してもよく、また、サーバ１０３を介して送信するようにしてもよい。
【００７５】
決済完了通知受信部３０５は、決済指示に基づく決済完了通知を、ネットワーク１００を介して、直接またはサーバ１０３を介して、カード会社情報処理装置１０４から受信する。これにより、寄付の支払いが完了したことを知ることができる。
【００７６】
この実施の形態においては、図２Ａに示した、参拝支援装置１０１を実現するコンピュータ装置が備える通信Ｉ／Ｆ２０３などによって、この発明にかかるカード決済指示送信部３０４、決済完了通知受信部３０５の機能を実現することができる。
【００７７】
返礼品排出制御部３０６は、決済完了通知を受信した場合に、排出口から返礼品を排出する。返礼品排出制御部３０６は、たとえば、返礼品が貯蔵されている貯蔵庫分と排出口との間の経路を遮断する蓋部材の開閉を制御することによって、貯蔵庫に貯蔵されている返礼品が適宜排出されるようにしてもよい。返礼品の排出制御は、これに限らず、その他の手段によって実現してもよい。なお、返礼品の具体的内容については後述する。
【００７８】
この実施の形態においては、図２Ａに示した、参拝支援装置１０１を実現するコンピュータ装置が備えるＣＰＵ２０１、返礼品排出機構２０６などによって、この発明にかかる返礼品排出制御部３０６の機能を実現することができる。
【００７９】
履歴情報記憶部３０７は、決済の履歴、返礼品の排出の履歴について記憶する。履歴情報の具体的な内容については、図５Ｂに示す。履歴情報の詳細な説明については、後述する。
【００８０】
この実施の形態においては、図２Ａに示した、参拝支援装置１０１を実現するコンピュータ装置が備えるメモリ２０２などによって、この発明にかかる履歴情報記憶部３０７の機能を実現することができる。
【００８１】
（情報端末装置１０２の機能的構成）
つぎに、情報端末装置１０２の機能的構成について説明する。図４は、この発明にかかる実施の形態の情報端末装置１０１の機能的構成を示すブロック図である。
【００８２】
図４において、情報端末装置１０２の機能は、入力部４０１と、登録部４０２と、表示部４０３と、寄付情報送信部４０４と、オーソリ予約処理部４０５と、寄付情報出力部４０６と、履歴情報受信部４０７と、によって実現することができる。
【００８３】
入力部４０１は、寄付の金額に関する情報の入力を受け付ける。入力部４０１は、あらかじめ設定された寄付の金額を、たとえば表示部４０３において表示し、表示した金額から選択させることによって、寄付の金額に関する情報の入力を受け付けるようにしてもよい。
【００８４】
また、入力部４０１は、カード情報の入力を受け付けるようにしてもよい。また、入力部４０１は、趣旨に関する情報、寄付先に関する情報などの入力を受け付けるようにしてもよい。
【００８５】
この実施の形態においては、図２Ｂに示した、情報端末装置１０２を実現するコンピュータ装置が備える入力デバイス２１４などによって、この発明にかかる入力部４０１の機能を実現することができる。
【００８６】
登録部４０２は、入力部４０１によって入力が受け付けられた寄付の金額に関する情報と、入力部４０１によって入力が受け付けられた、あるいは、あらかじめ登録されているカード情報とを関連付けして、寄付情報として登録する。また、登録部４０２は、入力部４０１によって入力が受け付けられた趣旨に関する情報、寄付先に関する情報などを、寄付の金額に関する情報およびカード情報と関連付けして、寄付情報として登録するようにしてもよい。
【００８７】
この実施の形態においては、図２Ｂに示した、情報端末装置１０２を実現するコンピュータ装置が備えるメモリ２１２などによって、この発明にかかる登録部４０２の機能を実現することができる。
【００８８】
表示部４０３は、入力部４０１によって入力が受け付けられた情報、登録された寄付情報、その他の情報を表示する。この実施の形態においては、図２Ｂに示した、情報端末装置１０２を実現するコンピュータ装置が備える出力デバイス２１３のディスプレイなどによって、この発明にかかる表示部４０３の機能を実現することができる。
【００８９】
寄付情報送信部４０４は、登録部４０２に登録された寄付情報をサーバ１０３へ送信する。寄付情報送信部４０４は、登録部４０２に登録された寄付情報を、直接またはサーバ１０３を介して、参拝支援装置１０１へ送信するようにしてもよい。
【００９０】
この実施の形態においては、図２Ｂに示した、情報端末装置１０２を実現するコンピュータ装置が備える通信Ｉ／Ｆ２１５などによって、この発明にかかる寄付情報送信部４０４の機能を実現することができる。
【００９１】
オーソリ予約処理部４０５は、登録部４０２に登録された寄付情報に基づいて、オーソリ予約をおこなう。具体的には、オーソリ予約処理部４０５は、たとえば、オーソリ予約情報を、カード会社情報処理装置１０４へ送信する。
【００９２】
この実施の形態においては、図２Ｂに示した、情報端末装置１０２を実現するコンピュータ装置が備えるＣＰＵ２１１、通信Ｉ／Ｆ２１５などによって、この発明にかかるオーソリ予約処理部４０５の機能を実現することができる。
【００９３】
寄付情報出力部４０６は、登録部４０２に登録された寄付情報を、参拝支援装置１０１へ出力する。情報端末装置１０２が、参拝支援装置１０１の所定の箇所にかざされた場合は、参拝支援装置１０１と近距離無線通信をおこなうことによって、登録された寄付情報を参拝支援装置へ出力する。
【００９４】
この実施の形態においては、図２Ｂに示した、情報端末装置１０２を実現するコンピュータ装置が備える出力デバイス２１３などによって、この発明にかかる寄付情報出力部４０６の機能を実現することができる。
【００９５】
履歴情報受信部４０７は、参拝支援装置１０１またはサーバ１０３から履歴情報を受信する。受信された履歴情報は、登録部４０２に登録されるとともに、指示に基づいて表示部４０３に表示する。
【００９６】
また、履歴情報受信部４０７は、寄付先からの宣伝広告情報を受信するようにしてもよい。そして、表示部４０３に、履歴情報受信部４０７が受信した宣伝広告情報を表示するようにしてもよい。
【００９７】
宣伝広告情報は、具体的には、『○○様は、今年は厄年なので、是非とも厄払いをされるとよいです。参拝をお待ちしております。』などである。サーバ１０３が、利用者の許可を得た上で、カード会社情報処理装置１０４から、利用者情報を取得し、各利用者に適した宣伝広告情報を作成して、各利用者の情報端末装置１０２へ送信するようにすればよい。
【００９８】
このように、参拝者である利用者が参拝先である寄付先に対して個人情報の開示を許容する場合には、参拝先から七五三や厄年などに関連する宣伝広告をすることができる。このように構成することによって、地元でよく行く神社仏閣などの情報の提供を受けることによって、参拝を促進することができる。これにより、参拝者を増員をすることができる。
【００９９】
この実施の形態においては、図２Ｂに示した、情報端末装置１０２を実現するコンピュータ装置が備えるＣＰＵ２１１、通信Ｉ／Ｆ２１５などによって、この発明にかかる履歴情報受信部４０７の機能を実現することができる。
【０１００】
（寄付情報の内容について）
つぎに、寄付情報の内容について説明する。図５Ａは、この発明にかかる実施の形態における寄付情報が登録されたデータベースの一例を示す説明図である。
【０１０１】
図５Ａにおいて、寄付情報データベース５０１には、たとえば、「寄付情報ＩＤ」と、寄付情報を登録した「登録日時」と、「寄付金額」と、「カード番号」と、カードの「有効期限」と、任意のデータである、「参拝趣旨」と、「参拝先」と、参拝支援装置の表示画面における「氏名表示」と、参拝支援装置の表示画面における「金額表示」と、「オーソリ予約」と、当該寄付情報の「有効期限」と、が関連付けされて記憶されている。
【０１０２】
「寄付情報ＩＤ」には、寄付情報の入力、登録をおこなうたびに付与される一意のＩＤデータを格納する。また、「登録日時」には、寄付情報の登録をおこなった日時に関するデータを格納する。
【０１０３】
「寄付金額」には、後述する図１０の寄付金額入力欄１００１に入力された金額データを格納する。「カード番号」およびカードの「有効期限」には、あらかじめ設定されているあるいはあらたにカード番号入力欄１００３Ａ、有効期限入力欄１００３Ｂに入力されたカードの番号および有効期限に関するデータを格納する。ここまでが、寄付情報における必須の項目である。
【０１０４】
「参拝趣旨」には、後述する図１０の参拝趣旨入力欄１００４Ａに入力された参拝趣旨に関するデータを入力する。「参拝先」には、後述する図１０の参拝先入力欄１００５Ａに入力された参拝先に関するデータを入力する。
【０１０５】
「氏名表示」には、この項目に氏名データが格納されていれば、後述する図８Ｂの参拝支援装置１０１の表示画面８０４に、当該氏名が表示される。この項目に氏名データが格納されていなければ、この情報端末装置１０２の利用者の氏名が、参拝支援装置１０１の表示画面８０４に表示される。この項目に表示不可に関するデータが格納されていれば、参拝支援装置１０１の表示画面８０４には、いずれの氏名も表示されない。
【０１０６】
「金額表示」には、この項目に表示不可に関するデータが格納されていれば、参拝支援装置１０１の表示画面８０４には、寄付金額は表示されない。
【０１０７】
「オーソリ予約」には、オーソリ予約がなされていれば、「有」に関するデータが格納され、オーソリ予約がなされていなければ、「無」に関するデータが格納される
【０１０８】
「有効期限」には、当該寄付情報の有効期限に関するデータを格納する。有効期限に関するデータが格納されていなければ、当該寄付情報の有効期限は無期限となる。
【０１０９】
（参拝履歴情報について）
つぎに、参拝履歴情報の内容について説明する。図５Ｂは、この発明にかかる実施の形態における参拝履歴情報が登録されたデータベースの一例を示す説明図である。
【０１１０】
図５Ｂにおいて、参拝履歴情報データベース５５１には、たとえば、「参拝ＩＤ」と、「寄付情報ＩＤ」と、「利用者ＩＤ」と、「寄付内容」と、「参拝日時」と、「決済結果」と、「排出返礼品」と、が関連付けされて記憶されている。
【０１１１】
「参拝ＩＤ」には、寄付情報が登録されるたびに付与される一意のＩＤデータが格納される。「寄付情報ＩＤ」には、寄付情報の寄付情報ＩＤが格納される。
【０１１２】
「利用者ＩＤ」には、利用者のＩＤが格納される。利用者ＩＤとしては、利用者の情報端末装置のＩＤ、電話番号、メールアドレス、その他のＩＤを利用するようにしてもよい。「寄付内容」には、当該寄付情報ＩＤに関連付けられている寄付情報データが格納される。
【０１１３】
「参拝日時」には、利用者の参拝日時、厳密には利用者の情報端末装置１０２またはカードから寄付情報が参拝支援装置１０１によって読み取られた日時データであってもよい。
【０１１４】
「決済結果」には、カード会社からの決済完了通知に関するデータが格納される。決済エラーに関するデータがあればそのデータも格納される。
【０１１５】
「排出返礼品」には、当該利用者ＩＤにかかる利用者に対して排出した返礼品に関するデータが格納される。具体的には、投入用コイン（後述する図９Ａの９０１）１枚、参拝記念用コイン２枚（合格コイン（後述する図９Ｂの９５１）、恋愛成就コイン（後述する図９Ｃの９５２））などのデータが格納される。
【０１１６】
（参拝支援装置１０１の処理手順）
つぎに、参拝支援装置１０１の処理手順について説明する。図６は、この発明にかかる実施の形態の参拝支援装置の処理手順の一例を示すフローチャートである。
【０１１７】
図６のフローチャートにおいて、まず、参拝支援装置１０１は、寄付情報の入力を受け付けたか否かを判断する（ステップＳ６０１）。ここで、寄付情報の入力を受け付けなかった場合（ステップＳ６０１：Ｎｏ）は、ステップＳ６０７へ移行する。
【０１１８】
ステップＳ６０１において、寄付情報の入力を受け付けた場合（ステップＳ６０１：Ｙｅｓ）は、参拝支援装置１０１は、入力を受け付けた寄付情報を、たとえば寄付情報記憶部３０２に記憶する（ステップＳ６０２）。
【０１１９】
つぎに、参拝支援装置１０１は、寄付情報の中のカード情報および寄付の金額情報に基づいて、カード会社情報処理装置１０４に対してカード決済指示を送信する（ステップＳ６０３）。その後、参拝支援装置１０１は、カード会社情報処理装置１０４からの決済完了通知を受信したか否かを判断する（ステップＳ６０４）。
【０１２０】
ステップＳ６０４において、決済完了通知を受信するのを待って（ステップＳ６０４：Ｎｏ）、受信した場合（ステップＳ６０４：Ｙｅｓ）は、参拝支援装置１０１は、返礼品の排出処理を実行する（ステップＳ６０５）。また、参拝支援装置１０１は、カード決済に関する履歴情報を、たとえば履歴情報記憶部３０７に記憶する（ステップＳ６０６）。
【０１２１】
つぎに、参拝支援装置１０１は、寄付情報または履歴情報の要求があったか否かを判断する（ステップＳ６０７）。寄付情報または履歴情報の要求は、たとえば、情報端末装置１０２、サーバ１０３などから要求される。
【０１２２】
ステップＳ６０７において、寄付情報および履歴情報のいずれの要求もなかった場合（ステップＳ６０７：Ｎｏ）は、ステップＳ６０１へ戻る。一方、ステップＳ６０７において、寄付情報または履歴情報の要求があった場合（ステップＳ６０７：Ｙｅｓ）は、要求があった寄付情報または履歴情報を要求元へ送信し（ステップＳ６０８）、その後、ステップＳ６０１へ戻る。
【０１２３】
つぎに、情報端末装置１０２の処理手順について説明する。図７は、この発明にかかる実施の形態の情報端末装置の処理手順の一例を示すフローチャートである。
【０１２４】
図７のフローチャートにおいて、まず、情報端末装置１０２は、寄付の金額に関する情報が入力されたか否かを判断する（ステップＳ７０１）。ここで、寄付の金額に関する情報が入力されるのを待って（ステップＳ７０１：Ｎｏ）、入力された場合（ステップＳ７０１：Ｙｅｓ）は、あらかじめ登録されているカード情報または入力されたカード情報と関連付けして登録する（ステップＳ７０２）。
【０１２５】
また、寄付先に関する情報または寄付の趣旨に関する情報が入力されたか否かを判断する（ステップＳ７０３）。ここで、寄付先に関する情報または寄付の趣旨に関する情報が入力された場合（ステップＳ７０３：Ｙｅｓ）は、入力された情報を、あらかじめ登録されているカード情報または入力されたカード情報と関連付けして登録する（ステップＳ７０４）。
【０１２６】
ステップＳ７０３において、寄付先に関する情報または寄付の趣旨に関する情報が入力されなかった場合（ステップＳ７０３：Ｎｏ）は、何もせずに、ステップＳ７０５へ移行する。
【０１２７】
その後、必要に応じて、登録された情報を、サーバ１０３へ送信し（ステップＳ７０５）、一連の処理を終了する。すなわち、登録された情報は、情報端末装置１０２内にのみ、登録しておいてもよい。
【０１２８】
（参拝支援装置の外観）
つぎに、参拝支援装置の外観について説明する。図８Ａは、この発明にかかる実施の形態の参拝支援装置の外観の一例を示す説明図である。
【０１２９】
図８Ａにおいて、参拝支援装置１０１は、屋根をつけて、小さな祠の形をしており、一目で賽銭交換所であることがわかるようにしてもよい。参拝支援装置１０１には、カード接触部８０１と、カード挿入口８０２と、返礼品排出口８０３と、表示画面８０４とを備えている。そのほかに、図示を省略するが、スピーカー、マイク、カメラ（たとえば防犯用）などを備えていてもよい。
【０１３０】
カード接触部８０１は、参拝者が、寄付情報を登録したカードや情報端末装置１０２をかざす装置である。接触（タッチ）してもよく、また、所定の距離以内であれば、非接触であっても、カードや情報端末装置１０２の情報を読み取ることができる。
【０１３１】
カード挿入口８０２は、参拝者が、寄付情報を登録したカードを挿入する挿入口である。カード挿入口８０２に挿入されたカードのＩＣ情報または磁気データが読み取られた後、同じカード挿入口８０２から、データが読み取られたカードが排出される。
【０１３２】
返礼品排出口８０３は、返礼品が排出される排出口である。返礼品が所定の排出経路を通って、返礼品排出口８０３に到達する。参拝者は、そこから返礼品を受け取ることができる。
【０１３３】
表示画面８０４は、参拝者に所定の情報を提供する。図８Ｂは、参拝支援装置の表示画面８０４の表示例を示す説明図である。
【０１３４】
図８Ｂに示すように、表示画面８０４には、寄付情報を参拝支援装置１０１に読み取らせた参拝者の名前（『○○様』）、寄付金額（『寄付金○○○円』）、返礼品の内容（『賽銭箱投入用のコイン１枚と参拝記念のコイン２枚をお受け取りください。』）などが表示される。
【０１３５】
他人に見られるのを避けるために、参拝者の名前や、寄付金額については、あえて表示しないように設定することができる。その設定は、情報端末装置１０２においてするようにしてもよい。
【０１３６】
（返礼品の内容について）
つぎに、返礼品の内容について説明する。図９Ａ〜図９Ｃは、返礼品の外観の一例を示す説明図である。
【０１３７】
返礼品は、たとえば、賽銭箱への投入物である。図９Ａにおいては、返礼品９０１である投入物は硬貨（たとえば五円玉）と同様または類似するサイズ、材質のコイン型のものである。このように、返礼品（投入用コイン）９０１を、硬貨に似せることによって、賽銭箱へ投入する際の質感や感覚などを体感することができる。また、賽銭箱に接触した際に発生する音や、賽銭箱の中へ落下する音なども、硬貨と同様なものとすることができる。
【０１３８】
返礼品９０１は、実際に流通している硬貨ではないので、盗難される心配がない。また、返礼品９０１は、賽銭箱から回収して、あらたな返礼品として再利用できるので、経済的である。
【０１３９】
図９Ｂにおいて、返礼品９５１は、賽銭箱への投入用ではなく、参拝記念に持参するものである。返礼品（参拝記念コイン）９５１は、題意に合わせた形状であり、題意に合わせた文字が刻まれており、縁起を担ぐ参拝者にとっては重宝である。サイズ、材質については硬貨と同様または類似であってもよく、また、硬貨とは異なるサイズ、材質、色であってもよい。たとえば、携帯に便利な重さの材質やサイズであったり、財布などに入れてもかさばらないサイズであってもよい。
【０１４０】
図９Ｂの返礼品９５１は、五角形の形状であり、『ごかく＝ごうかく』との語呂あわせにより、受験生にとっての合格祈願のお守りとして適している。また、図９Ｃの返礼品９５２は、ハートの形状であり、恋愛成就のお守りとして適している。色をピンク色にすることで、特に若い女性には好評を得ることが考えられる。
【０１４１】
図９Ａに示した返礼品９０１、図９Ｂに示した返礼品９５１、図９Ｃに示した返礼品９５２には、おみくじ機能を備えていてもよい。すなわち、それぞれの返礼品（コイン）９０１、９５１、９５２の表面または裏面には、図示を省略するが、『大吉』、『中吉』、『吉』・・・などの文字や記号などが記されていてもよく、また、返礼品（コイン）９０１、９５１、９５２を包装する包装部材におみくじ情報が印刷されていてもよい。
【０１４２】
返礼品は同時に複数個排出されてもよい。その際、排出された返礼品がすべて投入用であってもよい。その場合、複数種類のものであってもよい。また、排出される返礼品は、上述のように、図９Ａに示した投入用のコイン９０１と、参拝記念用のコイン９５１、９５２とから構成されていてもよい。このように、参拝記念用の返礼品が複数種類用意されていてもよい。
【０１４３】
これにより、参拝した後のお守りやおみくじの販売の手間を省略することができる。したがって、初詣など、多くの参拝者が集まるときであっても、混雑を緩和することができる。
【０１４４】
（情報端末装置の表示画面について）
つぎに、情報端末装置１０２の表示画面を用いて、情報端末装置１０２から寄付情報を入力する方法について説明する。図１０は、この発明にかかる実施の形態の情報端末装置の表示画面の一例を示す説明図である。
【０１４５】
図１０において、所定のアプリケーションがインストールされることによって、情報端末装置１０２の表示画面１０００には、『参拝支援アプリ』が表示される。この表示画面１０００において、利用者は、賽銭として投入しようと考えている任意の金額を、金額入力欄１００１に入力する。
【０１４６】
金額入力欄１００１の下側には、あらかじめ設定された寄付の金額が示されている。たとえば、『１１２９円』、『２９５１円』、『４１２９円』である。１１２９円は「イイフク（いい福）」、２９５１円は「フクコイ（福来い）」、４１２９円は「ヨイフク（良い福）」の語呂を意味し、いずれも縁起の良い数字（金額）である。
【０１４７】
利用者は、寄付金額を１１２９円にしたい場合は、金額入力欄１００１に金額を入力する代わりに、『選択』ボタン１００２Ａを押下することによって、容易に、寄付金額を入力することができる。
【０１４８】
同様に、利用者は、寄付金額を２９５１円にしたい場合は、金額入力欄１００１に金額を入力する代わりに、『選択』ボタン１００２Ｂを押下する。また、寄付金額を４１２９円にしたい場合は、金額入力欄１００１に金額を入力する代わりに、『選択』ボタン１００２Ｃを押下する。金額入力欄１００１の入力または金額の選択は必須である。
【０１４９】
利用者は、カード情報も入力する。カード情報（カード番号および有効期限に関する情報）の入力は必須である。カード番号入力欄１００３Ａにすでに番号が表示されている場合は、事前にカード番号を登録してあるので、カード番号の入力は不要である。別のカードを用いる場合には、別のカードのカード番号を入力し直すことができる。有効期限入力欄１００３Ｂについても、カード番号入力欄１００３Ａと同様である。また、図示は省略するが、オーソリ予約をするか否かについても選択できるボタンを用意してもよい。
【０１５０】
利用者は、参拝趣旨（願意）についても入力する。参拝趣旨（願意）の入力は任意である。参拝趣旨は、参拝趣旨入力欄１００４Ａに入力する。参拝趣旨入力欄１００４Ａを選択すると、すでに登録されている一般的な願意の一覧が参拝趣旨一覧表示欄１００４Ｂに表示される。その中から該当する参拝趣旨を選択すると、選択された参拝趣旨が参拝趣旨入力欄１００４Ａに自動的に入力される。また、それ以外の参拝趣旨は、利用者が自由に入力することができる。
【０１５１】
利用者は、参拝先についても入力する。参拝先の入力は任意である。参拝先が入力された場合は、入力された参拝先においてのみ、当該寄付情報が有効となり、他の参拝先では無効となる。
【０１５２】
参拝先は、参拝先入力欄１００５Ａに入力する。参拝先入力欄１００５Ａを選択すると、すでに登録されている一般的な参拝先（たとえば、過去に参拝した履歴がある参拝先や現在地または自宅・勤務先の近隣の参拝先）の一覧が参拝先一覧表示欄１００５Ｂに表示される。その中から該当する参拝先を選択すると、選択された参拝先が参拝先入力欄１００５Ａに自動的に入力される。また、それ以外の参拝先は、利用者が自由に入力することができる。
【０１５３】
利用者は、参拝支援装置１０１の表示画面８０４に、自らの氏名や寄付金額が表示されるのを避けたい場合は、表示希望欄１００６のチェックボックスをはずす。これによって、参拝支援装置１０１の表示画面８０４には、自らの氏名や寄付金額は表示されず、参拝に来ている他人の氏名や寄付金額を知られることはない。
【０１５４】
利用者は、図示を省略するが、祈願対象者名を入力する入力欄を設けてもよい。この入力欄に入力された氏名が、参拝支援装置１０１の表示画面８０４に表示される。入力欄に氏名を入力しなかった場合には、利用者（スマートフォンのユーザ）の氏名が表示される。
【０１５５】
利用者は、図示を省略するが、当該寄付情報の有効期限を入力する入力欄を設けてもよい。この入力欄に入力された有効期限を経過すると、その後に参拝支援装置１０１に対して当該寄付情報を入力することはできない。したがって、寄付情報をあらたに入力し直す必要がある。
【０１５６】
利用者は、入力が完了した場合に、『登録』ボタン１００７を押下して、寄付情報の入力を終了する。
【０１５７】
以上説明したように、この発明にかかる実施の形態の参拝支援装置１０１は、寄付に対する返礼品９０１、９５１、９５２を排出する返礼品排出口８０３と、寄付の金額およびカード情報を含む寄付情報が登録されたカードまたは情報端末装置１０２から、寄付情報を受け付ける寄付情報受付部３０１と、寄付情報に基づくカード決済指示を、ネットワーク１００を介して、カード会社情報処理装置１０４へ送信するカード決済指示送信部３０４と、決済指示に基づく決済完了通知を、ネットワーク１００を介して、カード会社情報処理装置１０４から受信する決済完了通知受信部３０５と、決済完了通知を受信した場合に、返礼品排出口８０３から返礼品９０１、９５１、９５２を排出する返礼品排出制御部３０６と、を備える。
【０１５８】
その際、寄付情報受付部３０１は、カードまたは情報端末装置が所定の箇所にかざされることによって、前記寄付情報を受け付ける。
【０１５９】
これによって、利用者は、参拝に際して、現金を持っていなくても、カードを用いて容易に参拝先への寄付をおこなうことができ、寄付に対する返礼品を受け取ることができる。返礼品は、疑似の賽銭として、賽銭箱に投入することができ、賽銭投入をともなう参拝をおこなうことができる。したがって、賽銭の投入による参拝の満足感を味わうことができる。
【０１６０】
また、返礼品は、参拝の記念として、また、参拝者以外の者へのプレゼントとして持ち帰ることができ、参拝者の満足感、御利益感を増すことができる。
【０１６１】
また、参拝支援装置１０１には、氏名、寄付金額が表示されるため、参拝前に寄付の金額を確認することができる。また、氏名、寄付の金額を非表示にすることによって、他人の寄付金額（賽銭箱への投入金額）を知られることがないので、気兼ねなく参拝をすることができる。
【０１６２】
なお、この実施の形態で説明した参拝支援方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１６３】
以上のように、この発明にかかる参拝支援装置、参拝支援方法および参拝支援プログラムは、賽銭の投入による参拝行為を支援する参拝支援装置、参拝支援方法および参拝支援プログラムに適している。
【符号の説明】
【０１６４】
１００  ネットワーク
１０１  参拝支援装置
１０２  情報端末装置
１０３  サーバ
１０４  カード会社情報処理装置
３００  決済受付処理部
３０１  寄付情報受付部
３０２  寄付情報記憶部
３０３  通信部
３０４  カード決済指示送信部
３０５  決済完了通知受信部
３０６  返礼品排出制御部
３０７  履歴情報記憶部
４０１  入力部
４０２  登録部
４０３  表示部
４０４  寄付情報送信部
４０５  オーソリ予約処理部
４０６  寄付情報出力部
４０７  履歴情報受信部
８０１  カード接触部
８０２  カード挿入口
８０３  返礼品排出口
８０４  表示画面
９０１  返礼品（投入用コイン）
９５１、９５２  返礼品（参拝記念コイン）
【図１】
2018161278.tif 000003
【図２Ａ】
2018161278.tif 000004
【図２Ｂ】
2018161278.tif 000005
【図２Ｃ】
2018161278.tif 000006
【図３】
2018161278.tif 000007
【図４】
2018161278.tif 000008
【図５Ａ】
2018161278.tif 000009
【図５Ｂ】
2018161278.tif 000010
【図６】
2018161278.tif 000011
【図７】
2018161278.tif 000012
【図８Ａ】
2018161278.tif 000013
【図８Ｂ】
2018161278.tif 000014
【図９Ａ】
2018161278.tif 000015
【図９Ｂ】
2018161278.tif 000016
【図９Ｃ】
2018161278.tif 000017
【図１０】
2018161278.tif 000018